(57)【要約】【課題】  手書きのメッセージやイラストを簡単かつ安価にブログ等のＷｅｂサーバにアップロードして安価なメッセージボードサービスを提供する。また手書きイラストをスポンサーロゴ付きで表示することにより広告効果を向上させる。【解決手段】  デジタルペン専用用紙で作成されたメッセージ記入用紙にユーザによって手書きで記入されたイラストの情報と送信先アドレス情報を送信するデジタルペンと、デジタルペンから送信された信号に基づいて送信画像と送信先アドレスを生成し、生成した送信画像と送信先アドレスをメッセージサーバに送信するデータ処理装置と、その送信画像を送信先アドレスに送信するメッセージサーバにより構成されるデジタルペンを用いたメッセージ処理システム。【選択図】        図３
2007219952.tif 000002
【特許請求の範囲】
【請求項１】
メッセージ情報を入力するメッセージ入力エリアとメッセージ送信先アドレス情報を入力するアドレス入力エリアおよびデータ処理装置アドレスをあらかじめ指定しておく送信先指定エリアとを有するメッセージ記入手段と、
前記メッセージ記入手段に記入されたメッセージ情報と送信先アドレス情報を読み取って生成したメッセージ信号を前記データ処理装置アドレスに送信するデジタルペンと、
前記データ処理装置アドレスを有し、前記メッセージ信号を受信して前記メッセージ情報と送信先アドレス情報を分離し、前記メッセージ情報より生成した送信画像を前記送信先アドレス情報により指定された送信先アドレスに送信するデータ処理装置と、
前記送信先アドレスを有し、送信された送信画像を受信する閲覧端末により構成されることを特徴とするデジタルペンを用いたメッセージ処理システム。
【請求項２】
前記データ処理装置は、テンプレート画像を保存するテンプレート画像保存手段と、前記メッセージ情報より生成した送信画像とテンプレート画像を合成する画像合成手段をさらに備え、テンプレート付き画像を送信画像とすることを特徴とする請求項１に記載のデジタルペンを用いたメッセージ処理システム
【請求項３】
前記送信先アドレス情報はメールアドレスであり、前記送信画像は電子メールに添付されて送信され、前記閲覧端末はメール端末であることを特徴とする請求項１または請求項２に記載のデジタルペンを用いたメッセージ処理システム。
【請求項４】
前記送信先アドレス情報はＵＲＬであり、前記送信画像はこのＵＲＬが示すＷｅｂサーバに保存されることを特徴とする請求項１または請求項２に記載のデジタルペンを用いたメッセージ処理システム。
【請求項５】
メッセージ送信先アドレス情報とメッセージ情報を含む信号を受信する受信手段と、
この受信手段により受信した信号からメッセージ送信先アドレス情報とメッセージ情報を分離する信号分離手段と、
メッセージが記入されるメッセージ記入手段の様式を保存する用紙フォーム保存手段と、
分離したメッセージ送信先アドレス情報とメッセージ記入手段の様式を比較してメッセージ送信先アドレスを検出するアドレス照合手段と、
検出したメッセージ送信先アドレスを一時保存するアドレスバッファと、
分離したメッセージ情報に基づいて送信画像を生成するメッセージ生成手段と、
前記送信画像を前記アドレスバッファに保存した送信先アドレスに送信する送信処理手段を含むことを特徴とするデータ処理装置。
【請求項６】
テンプレート画像を保存するテンプレート画像保存手段と、
前記生成した送信した送信画像と前記テンプレート画像を合成する画像合成手段とをさらに備え、テンプレート画像付きメッセージを送信することを特徴とする請求項５に記載のデータ処理装置。
【発明の詳細な説明】
【技術分野】
【０００１】
本発明は、デジタルペンを用いて専用の記入用紙に手書きで記入した手書きメッセージをブログ等のメッセージボードにアップロードし、パソコン等の閲覧端末によって簡単に手書きメッセージを閲覧できるデジタルペンを用いたメッセージ処理システムに関する。
【背景技術】
【０００２】
デジタルペンを用いて手書きメッセージを送信する従来の方法には、携帯電話に接続したデジタルプレートにユーザが手書きで記入した文字や図形を携帯電話に入力し、携帯電話から簡単に手書きの文字や図形を送信可能な方法がある。これは電波送信機能を有するデジタルペンと、その表面に走査線網格子を配置し、内部に信号処理部やプロセッサを有するデジタルプレートを用い、デジタルペンを用いて書写を行うと、デジタルプレート表面の走査線がデジタルペンが発した電波を検出してデジタルペンが接触する部位の走査線に電流を生成させ、その電流を信号処理しながらプロセッサでデジタルペンが接触した部位の座標と関連情報を生成して携帯電話に送信し、それらの情報を携帯電話内の手書き識別ソフトが手書きフォントに変換し、それを電子メール等で送信するものである。
【特許文献１】特開２００３−１９６０１６号公報
【発明の開示】
【発明が解決しようとする課題】
【０００３】
上記の従来のデジタルペンを用いた手書きメッセージ処理方法では、各々の携帯電話内に手書き識別ソフトが必要であり、またデジタルプレートにはプロセッサや信号処理機能等の高度な機能を内蔵させる必要があり、このデジタルプレートを各ユーザが所有する必要があるので、各ユーザが高価なデジタルプレートを持つ必要があるので実用性に乏しいという欠点があった。
【課題を解決するための手段】
【０００４】
本発明は、メッセージ情報を入力するメッセージ入力部とメッセージ送信先アドレスを入力するアドレス入力エリアおよびデータ処理装置アドレスをあらかじめ指定しておく送信先指定エリアとを有するメッセージ記入手段と、このメッセージ記入手段に手書きで記入されたメッセージ情報と送信先アドレス情報を読み取って生成したメッセージ信号を送信するデジタルペンと、このメッセージ信号を受信してメッセージ情報と送信先アドレス情報を分離し、メッセージ情報より生成した送信画像を送信先アドレス情報により指定された送信先アドレスに送信するデータ処理装置を含むことを特徴とする。
【発明の効果】
【０００５】
以上記載したように、本発明のデジタルペンを用いたメッセージ処理システムによれば、手書きメッセージ入力エリアと送信先アドレス入力エリアを予め用意した専用用紙を用い、デジタルペンで専用用紙に記入した手書きメッセージと送信先アドレス情報を用紙内のドット位置情報の形態でデジタルペンからデータ処理装置に送信し、データ処理装置で手書きメッセージをイメージ情報の形態で送信画像として形成するとともに送信先アドレス情報を生成し、その送信先アドレスに送信画像を送信すればよいので、ユーザはデジタルペンと専用用紙のみを持つだけでよく、専用用紙は紙製なので安価に製造できるので、手書きメッセージをＷｅｂサーバに簡単に送信でき、ブログ等のＷｅｂメッセージボードを安価にかつ簡単に作成することができる。特に、著名人のサイン等を短時間にブログ等にアップロードして一般のパソコンから閲覧することができるので便利である。また、本発明には、予め用意したテンプレート画像を手書きメッセージと合成してアップロードすることができるので、著名人のサインにスポンサーロゴ等の背景を加えることができ、企業の宣伝効果を増加させることもできる。
【発明を実施するための最良の形態】
【０００６】
図１は本発明のデジタルペンを用いたメッセージ処理システムの構成である。１は手書きメッセージと送信先アドレスを記入するためのメッセージ記入用紙、２は通信機能を持つデジタルペン、３はデジタルペン２から送信された手書きメッセージの情報を受信処理してメッセージ用のサーバ等に送信するデータ処理装置、４はデジタルペン２とデータ処理装置３との間の通信回線、５はＷｅｂサーバやメールサーバ等のメッセージサーバ、６はインターネットに代表される通信網、７は一般のパソコン等の閲覧端末であり、メール受信機能やブログ等のホームページを閲覧する端末である。メッセージ記入用紙１はデジタルペン２に適合した専用の用紙であり、その詳細は後述する。本発明では、デジタルペン２で記入したメッセージをメッセージサーバ５内にブログやその他のＷｅｂページの形態で保存して閲覧端末７からそのＷｅｂページを閲覧する形態と、メッセージを電子メールに添付して閲覧端末７に送信する形態の双方が含まれるが、メッセージサーバ５は前者の場合はＷｅｂサーバであり、後者の場合はメールサーバであり、そのいずれもが含まれる。
【０００７】
ユーザがデジタルペン２を用いてメッセージ記入用紙１のメッセージ入力エリアにメッセージを記載し、そのメッセージを送信する宛先のアドレスをメッセージ記入用紙１のアドレス入力エリアに記入する。例えば、スポーツ選手が球場等でファンの求めに応じて、メッセージ記入用紙１のメッセージ入力エリアにサインを書き、自分やファンが作成しているブログのアドレス（ＵＲＬ）をメッセージ記入用紙１のアドレス入力エリアにデジタルペン２で記入する例が一例である。デジタルペン２を用いてメッセージ記入用紙１に記入された手書きメッセージはデジタルペン２から例えばブルートゥース等の無線通信機能を用いて通信回線４を介してデータ処理装置３に送信される。もちろん、無線通信に限定する必要はなく、ＵＳＢケーブル等の有線を用いてデータ処理装置３と接続したり、デジタルペン２に設けたＵＳＢインタフェースを用いてデータ処理装置３のＵＳＢインタフェース部に直接デジタルペン２を装着することによって手書きメッセージをデータ処理装置３に入力することができる。データ処理装置３ではデジタルペン２から受信した手書きメッセージ情報をメッセージサーバ５が受信できる形式に変換し（例えばイメージ画像を生成し）、その手書きメッセージ情報をデジタルペン２から受信した送信先アドレス情報（たとえばブログのＵＲＬ）に対応するメッセージサーバ５に送信する。メッセージサーバ５では、受信した送信先アドレス情報、例えばＵＲＬに対応するメモリエリアに受信した手書きメッセージ情報を保存することで、閲覧端末７はその手書きメッセージを閲覧することができる。また手書きメッセージを電子メールで送信する場合には、閲覧端末７のメールアドレスを送信先アドレス情報としてメッセージ記入用紙１に記入すれば、データ処理装置３では生成した手書きメッセージ情報をメールの添付ファイルにして送信先アドレス情報である閲覧端末７のメールアドレスに送信し、メールサーバとして動作するメッセージサーバ５は手書きメッセージ情報を添付した電子メールを閲覧端末７に電子メールで送信する。なお、通信回線６はインターネットが好適であるが、データ処理装置３とメッセージサーバ５の間の通信回線はインターネットには限定されずに、例えば専用線等を使用することもできる。
【０００８】
図２はメッセージ記入用紙１の具体的な構成例を示す。１１は手書きメッセージを記入する手書きメッセージ入力エリアである。１２は手書きメッセージを送信する宛先である送信アドレスを入力するアドレス入力エリアである。キーボード形式に構成して各々のキーに相当するボタンを設け、対応するボタンをデジタルペン２でチェックすることによりアドレス入力を簡易化することができる。１３はメッセージの送信方法を指定するための制御エリアである。メッセージの送信方法には、例えばメッセージボードに対する送信や、一斉配信等の種類の指定がある。１４は手書きメッセージ情報等を送信してデータ処理するためのデータ処理装置３の宛先情報を予め書き込んである送信先指定部である。ユーザはデジタルペン２を用いてこのメッセージ記入用紙１の手書きメッセージ入力エリア１１にメッセージを手書きし、アドレス入力エリア１２の中の該当するボタンをチェックすることによりメッセージの送信先アドレスを入力し、その後に送信先指定部１４をデジタルペン２でチェックすることにより入力操作が完了し、手書きしたメッセージ情報と送信先アドレス情報がデジタルペン２から送信先指定部１４で指定された送信先であるデータ処理装置３に送信される。
【０００９】
図３はデータ処理装置３の構成例である。３１はデジタルペン２から送信された信号を受信する受信部、３２は受信信号に含まれる手書きメッセージ情報と送信先アドレス情報を分離する信号分離部、３３はメッセージ記入用紙の様式（フォーム）を保存する用紙フォーム部であり、これを用いて送信先アドレスを検出する。３４は受信したアドレス情報を用紙フォーム部に保存されたメッセージ記入用紙フォームと比較照合して送信先アドレスを抽出するためのアドレス照合部である。具体的な送信先アドレス抽出方法は後述する。３５は抽出した送信先アドレスを一時保存するアドレスバッファ、３６は信号分離部３２で分離された手書きメッセージ情報を受信し、送信画像を生成するためのメッセージ生成部である。メッセージ記入用紙１の手書きメッセージ入力エリア１１には予め細かな格子が配置され、そのエリアにメッセージを手書きで記入すると、デジタルペン２はメッセージの線のある部分の格子の位置情報を検出してメッセージ情報としてデータ処理装置３に送信するので、メッセージ生成部３６では白の背景に対して受信した位置情報に相当する位置の格子を黒く形成することにより手書きメッセージのイメージ画像を形成することができる。３９は送信処理部であり、メッセージ生成部３６が形成した送信画像をアドレスバッファ３５に保存したアドレスに送信する。３７はテンプレート画像を保存するテンプレート画像メモリである。テンプレート画像としては、企業のスポンサーロゴ等が該当する。３８は受信した手書きメッセージとテンプレート画像を合成する画像合成部であり、これにより背景にスポンサーログが付いた手書きメッセージを送信して広告効果を高めることができる。なお、図３ではテンプレート画像メモリ３７や画像合成部３８をメッセージ生成部３６の後段に設けた例を示したが、これを前段に設けることもできる。この場合は、テンプレート画像情報を手書きメッセージ入力エリア１１内の該当する格子の位置情報で形成するようにすれば、手書きメッセージ情報もテンプレート画像もいずれも格子の位置情報で表現されるから簡単に合成することができる。もちろん、テンプレート画像メモリ３７や画像合成部３８は本発明にとって必須ではないが、本発明の適用効果をさらに向上させることができる。
【００１０】
図４はデジタルペン２から送信される信号形式の一例である。４１は送信先アドレス情報、４２は手書きメッセージ情報、４３は制御情報である。送信先アドレス情報４１は、メッセージ記入用紙１の中にキーボード形式に予め配置されたキーの中で、デジタルペン２によって選択チェックされたキーの位置情報が選択された順番がわかるように構成される。最も簡単な構成例は、選択された順番にキーの位置情報を並べる方法であるが、これには限定されず、例えばキーの位置情報と選択された順番をペアにして構成することもできる。手書きメッセージ情報４２はメッセージ記入用紙１のメッセージ入力エリア１１内に記入された手書きのメッセージやイラストの線が描かれた部分の格子の二次元の位置情報により構成される。もちろん、アドレス情報やメッセージ情報の構成はあくまで１例であり、これ以外の全ての方法が本発明に含まれる。例えばアドレス情報は、キーボード形式ではなく手書きにして文字認識する方法も有効であり、手書きメッセージもハフマン符号のようなランレングス符号を用いることもできる。
【００１１】
データ処理装置３における送信先アドレス情報の抽出方法を述べる。データ処理装置３の中の用紙フォーム部３３はメッセージ記入用紙１のひな形を保持している。つまり、何も記載されていないメッセージ記入用紙を保持している。既に述べたように、デジタルペン２から送信される送信先アドレス情報は、メッセージ記入用紙１に設けたアドレス入力用ボタンの中から選択されたボタンの位置情報と選択順序の情報により構成されるから、アドレス照合部３４では用紙フォーム部３３から供給されるメッセージ記入用紙のひな形と受信したアドレス情報４１に含まれる位置情報とを照合することによりチェックされたキーを求めることができ、そのキーを選択順序に従って順番に並べればアドレスエリア１２に入力された送信先アドレスの文字を復元することができる。
【００１２】
図５はデータ処理装置３の動作フローである。ユーザがデジタルペン２を用いてメッセージ記入用紙１のメッセージ入力エリア１１に記入した手書きメッセージやイラストに基づいて生成されたメッセージ情報４２と、アドレス入力エリア１２のキーをチェックすることにより生成された送信先アドレス情報４１を含む信号がデジタルペン２から送信されるので、それを受信部３１で受信する（工程Ｓ１）。次に、その受信した信号を信号分離部３２で送信先アドレス部とメッセージ情報部に分離する（工程Ｓ２）。分離されたメッセージ情報はドットの位置情報であるが、メッセージ生成部３６により、この格子の位置情報に基づいてユーザによって記載された手書きイラストを再生するようにイメージ形式の送信画像を生成する（Ｓ３）。この生成方法は、受信したメッセージ情報に含まれる格子の位置情報に基づいて、白い背景を持つメッセージ入力エリア内の対応する格子の部分を黒くなるように設定すればよい。送信処理部３９では、このようにして生成された送信画像を、受信信号から分離した送信先アドレス情報とともにメッセージサーバ５に送信する（工程Ｓ６）。なお、ユーザがデジタルペン２を用いて記入した手書きイラストだけでなく、スポンサーロゴ等のテンプレート画像も含めて配信する場合には、受信メッセージ情報に基づいて送信画像を生成した（工程Ｓ３）後に、テンプレート画像メモリ３７からテンプレート画像を読み出し（工程Ｓ４）、画像合成部３８で生成した送信画像とテンプレート画像を合成してから（工程Ｓ５）、送信処理部３９によりメッセージサーバ５に送信する。
【００１３】
図６は送信処理部３９によりメッセージをメッセージサーバ５に送信する工程（Ｓ６）を電子メール送信の場合とブログ等のＷｅｂサーバ保存の場合に分けて記載したものである。図６（ａ）はメッセージを電子メールで送信する場合の送信動作フローである。この場合は、まず受信信号に含まれる送信先アドレス情報４１に基づいて生成したアドレスを送信先アドレスにセットし（工程Ｓ６１１）、メッセージ生成部３６で生成した送信画像を電子メールの添付ファイルになるように処理し（工程Ｓ６１２）、上記の送信先アドレスに上記送信画像を添付したメールを送信する（工程Ｓ６１３）。
【００１４】
図６（ｂ）はメッセージをブログ等のＷｅｂサーバにアップロードする場合の動作フローであり、受信した送信先アドレス情報４１に基づいて分離生成したアドレスを送信先ＵＲＬとして一旦保存し（工程Ｓ６２１）、送信画像を送信先ＵＲＬに送信する（工程Ｓ６２２）ことにより、メッセージサーバ５の中の所定のメモリに送信画像をアップロードする。これにより、閲覧端末７がこのＵＲＬにアクセスすると、手書きイラストを見ることができる。
【図面の簡単な説明】
【００１５】
【図１】本発明のシステム構成である。
【図２】本発明で使用するメッセージ記入用紙の構成である。
【図３】本発明のデータ処理装置の構成である。
【図４】デジタルペンから送信される信号構成例である。
【図５】データ処理装置における動作手順である。
【図６】データ処理装置における送信処理動作の手順である。
【符号の説明】
【００１６】
１  メッセージ記入用紙
２  デジタルペン
３  データ処理装置
４  通信回線
５  メッセージサーバ
６  通信回線
７  閲覧端末
１１  メッセージ入力エリア
１２  アドレス入力エリア
１４  送信先指定エリア
３１  受信部
３２  信号分離部
３３  用紙フォーム部
３４  アドレス照合部
３５  アドレスバッファ
３６  メッセージ生成部
３７  テンプレート画像メモリ
３８  画像合成部
３９  送信処理部
４１  送信先アドレス情報
４２  メッセージ情報
【図１】
2007219952.tif 000003
【図２】
2007219952.tif 000004
【図３】
2007219952.tif 000005
【図４】
2007219952.tif 000006
【図５】
2007219952.tif 000007
【図６】
2007219952.tif 000008